(57)【要約】【課題】原稿トレイの載置部に、容易に剥れたりすることなく、かつ、オペレータが視認しやすい表示部を構成することを目的とする。【解決手段】原稿搬送装置７に接続され、載置部１７に載置した複数の原稿が該原稿搬送装置７によって搬送される原稿トレイ９において、前記載置部１７の一側縁部に、原稿の基準位置を示す形状に象られた原稿位置決め用の表示部２０を設けた。この表示部２０は、載置部１７の上面に原稿の基準位置を示す形状に穿設された孔２１に、該孔２１の形状と略一致する嵌合部材２２を嵌合してなり、該孔２１が穿設される載置部１７上面の素材と嵌合部材２２の素材とが異なるように構成した。【選択図】図３
2005350196.tif 000002
【特許請求の範囲】
【請求項１】
原稿搬送装置に接続され、載置部に載置した複数の原稿が該原稿搬送装置によって搬送される原稿トレイにおいて、
前記載置部の一側縁部に、原稿の基準位置を示す形状に象られた原稿位置決め用の表示部を設けた、
ことを特徴とする原稿トレイ。
【請求項２】
前記表示部は、前記載置部の上面に原稿の基準位置を示す形状に穿設された孔に、該孔の形状と略一致する嵌合部材を嵌合してなり、該孔が穿設される載置部上面の素材と嵌合部材の素材とが異なる、ことを特徴とする請求項１に記載の原稿トレイ。
【請求項３】
前記嵌合部材は、前記載置部を構成するフレームと一体的に形成される、ことを特徴とする請求項２に記載の原稿トレイ。
【請求項４】
前記表示部は、点灯表示手段を設けてなる、ことを特徴とする請求項２又は請求項３に記載の原稿トレイ。
【発明の詳細な説明】
【技術分野】
【０００１】
本発明は、原稿トレイの技術に関し、より詳細には原稿トレイの載置部に設けた原稿の位置決め用の表示部に関する。
【背景技術】
【０００２】
一般に、ファクシミリ装置、複写機及びこれらを含めた複数の機能を有する複合機に構成される自動原稿搬送装置（ＡＤＦ）に関しては、原稿トレイに載置した多数枚の原稿を、１枚ずつ分離しながら、搬送ローラ等によって原稿読取部に搬送して原稿の画像を読み取り、読み取りを終了した原稿を原稿排出トレイに順次排出するように構成したものが公知である。
【０００３】
この原稿搬送装置に配設される原稿トレイは、複数の原稿を予め位置決めして載置しておくものであるが、この原稿トレイに載置される原稿は、それぞれの大きさが異なるのが通常である。そこで、長さ幅等の異なる原稿をセットした際に原稿搬送装置等において原稿詰りが生じたり読み取りの不具合が生じたりするのを防ぐために、通常は、原稿トレイの上面に表示部を設けて、この表示部によって原稿を載置する方向や位置をオペレータに認知させるようにしている。オペレータにおいては、この表示部にて原稿の位置や方向等を確認しながら、原稿トレイに原稿を載置することができる。
【０００４】
例えば、図７に示すように、従来の原稿トレイ１０９に設けられた表示部１２０は、通常はラベル部材やシール部材等によって形成され、これが原稿トレイ１０９の載置部１１７の表面であって原稿止め部１１５の一側方の所定位置に貼り付けられていた。この表示部１２０には、原稿の位置決め用の文字群１２０ａが記載されており、オペレータがこの文字群１２０ａを確認することによって、原稿の基準位置等を確認しながら原稿トレイ１０９にかかる原稿を載置することができた。
【０００５】
また、例えば、特許文献１においては、給紙カセットに装着した用紙に対応した表示ラベルを原稿トレイの原稿載置面上に設けた画像形成装置が開示されている。この画像形成装置は、特に、給紙カセットに裏紙や色紙等の特殊用紙類を装着した場合に、不要な間違いコピーを防止するようにしたものである（特許文献１参照）。
【特許文献１】特開２００２−２２６０５４号公報
【発明の開示】
【発明が解決しようとする課題】
【０００６】
このように、原稿トレイの原稿の載置部において、オペレータが視認しやすい位置に原稿の基準位置等の情報を表示する表示部を設けた構成はすでに公知となっている。
しかし、従来の原稿トレイは、上述のように原稿トレイの載置部に、ラベル部材やシール部材からなる表示部を付設していたため、原稿トレイに原稿を載置する際に、オペレータが表示部と接触したりすることで、載置部からかかる表示部が剥れたり捲れ上がったりする場合があった。そのため、オペレータが原稿の基準位置や方向を確認しづらく、また表示部が捲れ上がった状態で原稿が移送されると、原稿に傷が付いたり原稿搬送部で原稿詰りが生じたりする場合があった。
特に、原稿トレイの一側方に原稿を方寄せして位置決めする構成においては、表示部を視認しながら、原稿の一端を原稿トレイの一側方に確実に載置する必要があるため、上述のように、表示部が剥れたり捲れ上がったり等することのないような構成とすることが好ましい。
【０００７】
そこで、本発明においては、原稿搬送装置に関し、前記従来の課題を解決するもので、原稿トレイの載置部に、容易に剥れたりすることなく、かつ、オペレータが視認しやすい表示部を構成することを目的とする。
【課題を解決するための手段】
【０００８】
本発明の解決しようとする課題は以上の如くであり、次にこの課題を解決するための手段を説明する。
【０００９】
すなわち、請求項１においては、原稿搬送装置に接続され、載置部に載置した複数の原稿が該原稿搬送装置によって搬送される原稿トレイにおいて、前記載置部の一側縁部に、原稿の基準位置を示す形状に象られた原稿位置決め用の表示部を設けたものである。
【００１０】
請求項２においては、請求項１において、前記表示部は、前記載置部の上面に原稿の基準位置を示す形状に穿設された孔に、該孔の形状と略一致する嵌合部材を嵌合してなり、該孔が穿設される載置部上面の素材と嵌合部材の素材とが異なるものである。
【００１１】
請求項３においては、請求項２において、前記嵌合部材は、前記載置部を構成するフレームと一体的に形成されるものである。
【００１２】
請求項４においては、請求項２又は請求項３において、前記表示部は、点灯表示手段を設けてなるものである。
【発明の効果】
【００１３】
本発明の効果として、以下に示すような効果を奏する。
【００１４】
請求項１に示す構成としたので、表示部が剥れたり捲れ上がったりせず、原稿の位置決めを容易に行うことができるとともに、ひいては原稿が原稿詰り等するのを防ぐことができる。
【００１５】
請求項２に示す構成としたので、原稿の基準位置を示す形状が載置部の表面において鮮明となり、オペレータが原稿の基準位置として表示部を視認し易くなる。
【００１６】
請求項３に示す構成としたので、載置部を構成するフレームと嵌合部材の素材を同じくしてこれらを一体に形成して製造が容易となり、製造コストを低減できる。また、原稿トレイの組み立ても容易となる。
【００１７】
請求項４に示す構成としたので、周囲の明るさが不足する場合であっても、表示部において原稿の基準位置を示す形状が浮かび上がり、位置を誤ることなく原稿を容易に載置できる。
【発明を実施するための最良の形態】
【００１８】
次に、発明の実施の形態を説明する。
図１は本発明に係る原稿トレイを備えた複合機の全体的な構成を示した斜視図、図２は図１の原稿押えカバー及び原稿トレイの上方斜視図、図３は原稿トレイの斜視図、図４は同じく原稿トレイの平面図、図５は図４におけるＸ−Ｘ矢視断面図、図６は嵌合部材に点灯部材を配置した図４におけるＸ−Ｘ矢視断面図、図７は従来の原稿トレイの平面図である。
なお、以下に、本発明に係る原稿トレイ９を備えた複合機１として、ファクシミリ機能と複写機のコピー機能を備えた複合機１について述べるが、本実施例はこれに限定されるものではなく、原稿トレイ９は、単なるファクシミリ装置やコピー機等に適用することが可能である。
【００１９】
まず、本発明に係る原稿トレイ９を設けた複合機１について説明する。
図１及び図２に示すように、複合機１は、画像読取装置２と、画像読取装置２の下方に位置する画像記録装置３と、画像読取装置２の上方に配置される原稿搬送装置７等とから構成されている。また、画像読取装置２の一側には複合機１の操作パネル６が付設される。以下、操作パネル６の配設側を複合機１において前方とする。
【００２０】
画像読取装置２は、画像読取部４と、該画像読取部４に対して前後方向に回動自在の原稿押えカバー５等とから構成されている。該画像読取部４の上面には、画像読取装置２において原稿載置面となるプラテン（図略）が配置される。画像読取部４内部であって、このプラテンの下方には、光源やミラーを備え左右に移動可能とされる走査体（図略）や、該走査体からの画像光を受光する撮像素子等が配置されている。原稿押えカバー５は、プラテン上に原稿を押圧するための原稿押圧板である。原稿押えカバー５は、静止原稿を読み取るフラットベットタイプのイメージスキャナとして用いる場合には、プラテン上方を開放するように回動操作し、次いでプラテン上に載置した原稿を押し付けるように再び原稿押えカバー５を閉鎖する。このように原稿押えカバー５を閉鎖して、原稿を上方から押えた状態で原稿の静止画情報が読み取られる。
【００２１】
原稿搬送装置７は、原稿押えカバー５の一端側に構成されて図示せぬ搬送ローラ等によって原稿を搬送する原稿搬送部８と、原稿搬送部８内部に原稿を供給する原稿トレイ９と、原稿搬送部８の内部から排出される原稿を堆積する排出トレイ１０等とから構成されている。原稿搬送装置７によって、原稿トレイ９に載置した原稿が、一枚ずつピックアップされて画像読取装置２上面の一端部へ搬送され、この原稿の内容を前記走査体（このときは画像読取装置２内部で静止されている）にて読み取られた後に、排出トレイ１０に排出される。原稿トレイ９についての詳細は、後述する。
【００２２】
このように、画像読取装置２は、走査体が走査して静止原稿を読み取るフラットベットタイプのイメージスキャナとして用いるとともに、走査体を位置固定して原稿搬送装置７によって原稿を給送しながら読み取りを行うシートフィードタイプのスキャナとして用いることができるように構成されている。
【００２３】
画像記録装置３は、画像記録部１２と、画像記録部１２の下方に配置する給紙カセット１３・１３を備えている。画像記録部１２は、電子写真方式のプリンタで構成され、画像読取部４で出力された原稿画像や、ファックス等による受信画像を、記録紙上に記録（印刷）可能に構成されている。画像記録部１２の正面側の上面には、画像記録装置３の排出トレイ１２ａが形成されている。
【００２４】
次に、本実施例に係る原稿トレイ９について、以下に詳述する。
図２乃至図４に示すように、原稿トレイ９は、平面視略矩形状に形成された平板状部材であり、原稿止め部１５・１５、載置部１７及び表示部２０等より構成されている。原稿トレイ９の上面に載置部１７が形成され、この載置部１７は、複数の原稿を載置しまたは保持して、この原稿が原稿搬送装置７（原稿搬送部８）へと連続して搬送されるように構成されている。載置部１７の縁部には、載置部１７の平面から略垂直上方に突出した原稿止め部１５・１５が形成されている。この原稿止め部１５・１５のいずれか一方もしくは両方が原稿の搬送方向（図２における上下方向）に対して直交する方向に摺動自在に構成される。この原稿止め部１５・１５が摺動操作されて、原稿トレイ９の上面に載置した原稿の位置決めがなされる。本実施例においては、原稿止め部１５の一方がガイド溝１６に沿って摺動可能に構成され、相対位置変動不能に固定された原稿止め部１５の方に原稿を片寄せして位置決めする。
【００２５】
原稿トレイ９の一端部には、原稿押えカバー５に構成された原稿搬送部８に取り付ける際の取付部としてのリブ部１８・１８が突設されている。このリブ部１８・１８から突出部１８ａ・１８ａがそれぞれ反対方向に略垂直に突出され、この突出部１８ａ・１８ａが、原稿搬送部８の開口部８ａの両側壁に設けられた孔（図略）に嵌入されている。このようにして、原稿トレイ９は、突出部１８ａ・１８ａを回動中心として、原稿の搬送方向と同一方向に回動自在となるように原稿搬送装置７に接続されている。
【００２６】
原稿トレイ９は、素材の異なるメインフレーム９ａとサブフレーム９ｂとの二つの部材から組み立てられて構成されている。メインフレーム９ａは、主に前記原稿止め部１５・１５の基部としてこれを支持しつつ、前記ガイド溝１６を構成する。サブフレーム９ｂは、メインフレーム９ａの下面側を覆うようにメインフレーム９ａに配設されるとともに、載置部１７の略中央部分を構成している。本実施例においては、メインフレーム９ａ及びサブフレーム９ｂは素材の異なる部材より構成され、さらには透明部材もしくは半透明部材より構成されるのが好ましい。この詳細は、後述する。サブフレーム９ｂを透明部材もしく半透明部材より構成することで、原稿トレイ９の下方に形成された前記排出トレイ１０に堆積した原稿の様子を、原稿トレイ９を回動させて確認するまでもなく、複合機１の上方からオペレータが視認できる。
【００２７】
表示部２０は、載置部１７表面の一側縁部に原稿の基準位置を示す形状に直接象られている。本実施例では、表示部２０は平面視略矢印型に象られ、この矢印が載置部１７の隅を指し示すように形成されている。具体的には、表示部２０は、メインフレーム９ａに固設された原稿止め部１５側であって前記開口部８ａ側の一隅を指し示すように形成されている。表示部２０が指し示す一隅に原稿の基準となる始端を載置することで、原稿搬送装置７等において原稿が原稿詰りすることがなく、読み取られて印刷されたときに原稿と同じ上下左右の余白で印字位置となるように構成されている。
【００２８】
なお、表示部２０において原稿の基準位置を示す形状とは、原稿の基準位置をオペレータが視認できる形状をいい、本実施例に示す平面視矢印型に限らず、平面視略矩形型に形成して、ある頂点で原稿の基準位置を示すように構成したりしてもよい。
【００２９】
本実施例における原稿トレイ９は、原稿止め部１５を基準として原稿を一方に片寄せして載置部１７に載置する。特に、大きさやサイズが混合した原稿（ミックス原稿）を載置する際には、原稿搬送部８において原稿詰りを起こさないように、各原稿の一隅がきっちりと重なった状態で載置部１７に載置しなければならない。表示部２０を載置部１７の表面に直接形成することで、原稿を載置部１７に載置したり原稿を搬送したりする際に、表示部２０に原稿やオペレータの指等が当接・摺接しても、表示部２０が剥れたり捲れ上がったりすることがない。そのため、オペレータにおいて載置部１７において原稿の位置決めを容易に行うことができ、ひいては原稿搬送装置７によって搬送される原稿が原稿詰り等するのを防ぐことができる。また、表示部２０を原稿トレイ９（載置部１７）に一体に形成することで、原稿トレイ９の組み立て工程が短縮でき製造効率がよい。
【００３０】
次に、表示部２０について、以下に詳述する。
図４及び図５に示すように、表示部２０は、載置部１７の上面に原稿の基準位置を示す形状に穿設された孔２１に、該孔２１の形状と略一致する嵌合部材２２を嵌合し、さらに孔２１が穿設される載置部１７の表面の素材と嵌合部材２２の素材とが異なるように構成されている。ここで載置部１７及び嵌合部材２２の素材が異なるとは、例えば、各部材（嵌合部材２２及び載置部１７等）を形成する素材の色や質感等が異なることをいう。
【００３１】
具体的には、孔２１は、平面視略矢印型となるように原稿トレイ９の載置部１７（メインフレーム９ａ）に穿設される。そして、孔２１の形状（平面視略矢印型）と略一致するように形成された嵌合部材２２が孔２１に嵌合される。嵌合部材２２は、孔２１に嵌合された状態で、メインフレーム９ａの表面に凹凸が生じないようにその表面上が略水平となり、またメインフレーム９ａと密着して塵埃が隙間に入り込まないように形成されている。
【００３２】
このように、表示部２０を孔２１及び嵌合部材２２等の複数の部材より構成して、その各部材の素材が異なるように構成することで、原稿の基準位置を示す形状が載置部１７の表面において鮮明となるため、オペレータが原稿の基準位置として表示部２０を視認し易くなる。
【００３３】
嵌合部材２２の素材としては、孔２１が穿設される載置部１７の表面の素材、すなわちメインフレーム９ａの素材と異なるものであればよいが、本実施例では、透明部材もしくは半透明部材で構成することが好ましい。これは、前記原稿トレイ９を構成するサブフレーム９ｂが、通常は透明部材もしくは半透明部材で構成されることから、サブフレーム２ｂと嵌合部材２２とを一体的に形成することで、原稿トレイ９（表示部２０）の製造を容易なものとすることができるからである。具体的には、図５に示すように、表示部２０は、透明部材もしくは半透明部材より形成したサブフレーム９ｂの上面に一体的に嵌合部材２２を突設するとともに、この嵌合部材２２をメインフレーム９ａに形成した孔２１の下方から挿通して構成することができる。
【００３４】
このように、嵌合部材２２をサブフレーム２ｂに一体的に形成して、これらを透明部材もしくは半透明部材より形成することで、原稿トレイ９に嵌合部材２２を別途設ける必要がなく、製造コストを低減できる。さらに、メインフレーム９ａにサブフレーム９ｂを取り付ける際に孔２１に嵌合部材２２を下方から嵌合させるため、原稿トレイ９の組み立てや解体が容易となる。
【００３５】
さらに、図４及び図６に示すように、表示部２０の別実施例として、表示部２０に点灯表示手段たる点灯部材２３を配設し、載置部１７の表面に原稿の基準位置を示す形状を点灯させるように構成してもよい。この点灯部材２３は、ＬＥＤや発光部材等を用いることができ、例えば、複合機１の主電源のＯＮ／ＯＦＦ等に連動して点灯するように構成したＬＥＤや、蛍光性素材から形成した嵌合部材２２等を用いることができる。
【００３６】
このように、表示部２０を構成する嵌合部材２２に点灯部材２３を設けることで、原稿トレイ９の周囲の明るさが不足する場合であっても、表示部２０において原稿の基準位置を示す形状が浮かび上がるため、位置を誤ることなく原稿を容易に載置でき、原稿搬送部８の原稿詰りや画像形成の不具合を防止することができる。特に、嵌合部材２２を透明部材もしくは半透明部材より形成する場合に、嵌合部材２２の下方に点灯部材２３を配設することで、透明もしくは半透明の表面を効果的に点灯させることができる（図６参照）。
【００３７】
なお、表示部２０は、上述のように孔２１に嵌合部材２２を嵌合させて孔２１を塞ぐようにして構成するのではなく、単に原稿トレイ９を構成するメインフレーム９ａ及びサブフレーム９ｂを上下方向に孔２１を貫設するのみでもよい。かかる場合であっても、載置部１７の表面にオペレータが視認し得る程度に表示部２０を形成することができ、また嵌合部材２２等を別途製造する必要がなく製造コストを低減することができる。
【図面の簡単な説明】
【００３８】
【図１】本発明に係る原稿トレイを備えた複合機の全体的な構成を示した斜視図。
【図２】図１の原稿押えカバー及び原稿トレイの上方斜視図。
【図３】原稿トレイの斜視図。
【図４】同じく原稿トレイの平面図。
【図５】図４におけるＸ−Ｘ矢視断面図。
【図６】嵌合部材に点灯部材を配置した図４におけるＸ−Ｘ矢視断面図。
【図７】従来の原稿トレイの平面図。
【符号の説明】
【００３９】
９    原稿トレイ
９ａ    メインフレーム
９ｂ    サブフレーム
１５    原稿止め部
１６    ガイド溝
１７    載置部
２０    表示部
２１    孔
２２    嵌合部材
【図１】
2005350196.tif 000003
【図２】
2005350196.tif 000004
【図３】
2005350196.tif 000005
【図４】
2005350196.tif 000006
【図５】
2005350196.tif 000007
【図６】
2005350196.tif 000008
【図７】
2005350196.tif 000009